(57)【特許請求の範囲】
【請求項１】
供給されたＩＣカードを受け取り該ＩＣカードを反転可能なＩＣカード反転機と；
該ＩＣカード反転機に設置されたアンテナ手段を有しており、該ＩＣカード反転機が受け取ったＩＣカードのＩＣに対し該アンテナ手段を介して少なくとも情報の書き込み又は呼び出しを行なうＩＣカード・情報書き込み／呼び出し手段と；そして、
該ＩＣカード反転機から送り出されたＩＣカードの表面に画像を形成する画像形成機と、
を備えているＩＣカード作成装置であって、
該ＩＣカード反転機が受け取ったＩＣカードのＩＣに対して該ＩＣカード・情報書き込み／呼び出し手段が該アンテナ手段を介して少なくとも情報の書き込み又は呼び出しを行なう際には、該書き込み又は呼び出しを行なう最中に発生する電磁波がＩＣカード作成装置から漏れ出る量が最も少なくなる角度に該ＩＣカード反転機の回転角度を傾斜させたうえで該書き込み又は呼び出しを行ない、
該画像形成機によりＩＣカードの所定の一面に画像を形成した後に他面にも画像を形成する予定がある場合、該画像形成機によりＩＣカードの所定の一面に画像を形成した後に該ＩＣカードを該ＩＣカード反転機に送り返し、該ＩＣカードを該ＩＣカード反転機により１８０度反転した後に再び該画像形成機に送り返し、該画像形成機により該ＩＣカードの他面に画像を形成する、
ことを特徴とするＩＣカード作成装置。
【発明の詳細な説明】
【０００１】
【発明の属する技術分野】
本発明は、ＩＣカードに画像を形成する画像形成手段と、ＩＣカードのＩＣに対し少なくとも情報の書き込み又は呼び出しを行う情報・書き込み／呼び出し手段と、を備えたＩＣカード作成装置に関係している。
【０００２】
【従来の技術】
従来の上述した如きＩＣカード作成装置は、画像形成手段そして情報・書き込み／呼び出し手段がＩＣカードの移動方向に沿い直列に並んで配置されており、さらにはＩＣカードを反転可能なＩＣカード反転手段が必要に応じて画像形成手段及び情報・書き込み／呼び出し手段に対して直列に並んで配置されており、上記移動方向に沿った長さが長くなっている。
【０００３】
【発明が解決しようとする課題】
近年では、いかなる装置でもさらなる小形化が強く望まれている。なぜならば小形化は、装置の製造コスト，装置の物流コスト，そして装置の設置コストを低減させるからである。
【０００４】
この発明は上記事情の下でなされ、この発明の目的は、従来よりも小形のＩＣカード作成装置を提供することであり、さらには電磁波対策をより間便に施し易いＩＣカード作成装置を提供することである。
【０００５】
【課題を解決するための手段】
上述したこの発明の目的を達成する為に、この発明に従ったＩＣカード作成装置は：供給されたＩＣカードを受け取り該ＩＣカードを反転可能なＩＣカード反転機と；該ＩＣカード反転機に設置されたアンテナ手段を有しており、該ＩＣカード反転機が受け取ったＩＣカードのＩＣに対し該アンテナ手段を介して少なくとも情報の書き込み又は呼び出しを行なうＩＣカード・情報書き込み／呼び出し手段と；そして、該ＩＣカード反転機から送り出されたＩＣカードの表面に画像を形成する画像形成機と、を備えているＩＣカード作成装置である。そして、該ＩＣカード反転機が受け取ったＩＣカードのＩＣに対して該ＩＣカード・情報書き込み／呼び出し手段が該アンテナ手段を介して少なくとも情報の書き込み又は呼び出しを行なう際には、該書き込み又は呼び出しを行なう最中に発生する電磁波がＩＣカード作成装置から漏れ出る量が最も少なくなる角度に該ＩＣカード反転機の回転角度を傾斜させたうえで該書き込み又は呼び出しを行ない；該画像形成機によりＩＣカードの所定の一面に画像を形成した後に他面にも画像を形成する予定がある場合、該画像形成機によりＩＣカードの所定の一面に画像を形成した後に該ＩＣカードを該ＩＣカード反転機に送り返し、該ＩＣカードを該ＩＣカード反転機により１８０度反転した後に再び該画像形成機に送り返し、該画像形成機により該ＩＣカードの他面に画像を形成する、ことを特徴としている。
【０００６】
このように構成されたことを特徴とする、この発明に従ったＩＣカード作成装置においては、挿入されたＩＣカードの一面に対して画像形成手段が画像を形成する。そしてＩＣカードのＩＣに対しＩＣカード・情報書き込み／呼び出し手段が、少なくとも情報の書き込み又は呼び出しを行うが、ＩＣカード・情報書き込み／呼び出し手段は、ＩＣカードのＩＣに対し少なくとも情報の書き込み又は呼び出しを行うアンテナ手段を有している。
【０００７】
アンテナ手段はＩＣカード反転機に配置され、アンテナ手段の設置の為の独立した設置スペースを必要としないことが出来る。この結果として、この発明に従ったＩＣカード作成装置を従来よりも小形とすることが出来る。
【０００８】
上述した如く構成されたことを特徴とするこの発明に従ったＩＣカード作成装置においては、ＩＣカード・情報書き込み／呼び出し手段は、ＩＣカード反転機に設置された２種類以上のアンテナ手段を有しており、ＩＣカード作成装置はアンテナ手段の数やアンテナ手段が取り扱うことが出来る電波の数に対応した種類にＩＣを伴ったＩＣカードを取り扱うことが出来る。
【００１０】
ＩＣカードをＩＣカード反転機で反転させれば、ＩＣカードの他面に対し画像形成機により画像を形成することが出来る。
【００１５】
以下、この発明の一実施の形態に従ったＩＣカード作成装置について詳細に説明する。
【００１６】
【発明の実施の形態】
図１には、この発明の一実施の形態に従ったＩＣカード作成装置１０の全体の概略的な構成の側面図が示されている。
【００１７】
図１に示す如く、この発明の一実施の形態に従ったＩＣカード作成装置１０は、ＩＣを内蔵したＩＣカード１２を複数枚積層して保存し、ＩＣカード１２を順次送り出すＩＣカード供給部１０ａを備えている。
【００１８】
ＩＣカード作成装置１０はまた、ＩＣカード供給部１０ａに隣接して配置されＩＣカード供給部１０ａからのＩＣカード１２を受け取り受け取ったＩＣカード１２を必要に応じて反転させる為のＩＣカード反転機１４を含むＩＣカード反転部１０ｂを備えている。
【００１９】
ＩＣカード反転機１４には２種類のアンテナ手段１５ａ，１５ｂが設置されており、アンテナ手段１５ａ，１５ｂにはＩＣカード反転機１４中のＩＣカード１２の図示されていないＩＣに対してアンテナ手段１５ａ，１５ｂを介し情報を記録したり情報を読み取ったりする為のＩＣカード・情報書き込み／呼び出し手段１６が接続されている。
【００２０】
ＩＣカード作成装置１０はまた、ＩＣカード反転部１０ｂに隣接して配置されＩＣカード反転部１０ｂからのＩＣカード１２の表面に画像を形成する為の画像形成機１８を含む画像形成部１０ｃをさらに備えている。
【００２１】
ＩＣカード作成装置１０はまた、画像形成部１０ｃに隣接して配置され画像形成部１０ｃからのＩＣカード１２を順次積層して保存するＩＣカード保存部１０ｄを備えている。
【００２２】
そして、ＩＣカード供給部１０ａ，ＩＣカード反転部１０ｂのＩＣカード反転機１４，画像形成部１０ｃの画像形成機１８，そしてＩＣカード保存部１０ｄは、例えば複数の搬送ローラを含む公知の搬送手段２０により相互に連結されている。
【００２３】
図２の（Ａ）及び（Ｂ）を参照しながら、ＩＣカード反転部１０ｂに設けられたＩＣカード反転機１４の構成についてより詳細に説明する。ＩＣカード反転機１４は、ＩＣカード供給部１０ａからのＩＣカード１２が挿入される上下１対のＩＣカード挿入板１４ａ，１４ｂを含んでいる。ＩＣカード挿入板１４ａ，１４ｂの上下には、ＩＣカード挿入板１４ａ，１４ｂの間の隙間に挿入されたＩＣカード１２を挟持するとともに画像形成部１０ｃに向かい選択的に送り出す搬送駆動ローラ１４ｃが配置されている。ＩＣカード挿入板１４ａ，１４ｂは、搬送駆動ローラ１４ｃの回転中心軸に対して平行であるとともに上記回転中心軸と同じ方向に延出した回転中心軸１４ｄの回りで両方向矢印Ａにより指摘されている如く３６０度に渡り選択的に回動自在（即ち、反転自在）である。
【００２４】
一方のＩＣカード挿入板１４ａにおいて、ＩＣカード挿入板１４ａ，１４ｂ中のＩＣカード１２の図示しないＩＣに対応した所定の位置に、一方のアンテナ手段１５ａが設けられている。また他方のＩＣカード挿入板１４ｂにおいて、ＩＣカード挿入板１４ａ，１４ｂ中の上述したＩＣカード１２とは別の種類のＩＣカードの図示しないＩＣに対応した所定の位置に、他方のアンテナ手段１５ｂが設けられている。
【００２５】
上述した如く構成された一実施の形態に従ったカード作成装置１０においては、ＩＣカード供給部１０ａからＩＣカード反転部１０ｂに向かい順次送り出されたＩＣカード１２は、ＩＣカード反転機１４のＩＣカード挿入板１４ａ，１４ｂの間の隙間に挿入され上下の搬送駆動ローラ１４ｃにより挟持される。上記隙間中のＩＣカード１２の図示しないＩＣが一方のＩＣカード挿入板１４ａの一方のアンテナ手段１５ａに対応すると、ＩＣカード・情報書き込み／呼び出し手段１６が一方のアンテナ手段１５ａを介して上記ＩＣカード１２の図示しないＩＣに対して情報を記録し、または情報を読み取り、または情報の記録と読み取りの両方を行う。
【００２６】
この後、上下の搬送駆動ローラ１４ｃはＩＣカード反転機１４のＩＣカード挿入板１４ａ，１４ｂの間の隙間中のＩＣカード１２を画像形成部１０ｃの画像形成機１８に向かい送り出す。ＩＣカード反転部１０ｂからのＩＣカード１２の所定の一面に対し画像形成機１８は所定の画像を形成する。この画像はＩＣカード１２の所定の一面に、例えば感熱転写やインクジェットにより直接的に形成することが出来るし、予め所定の画像が形成されているか、または、このカード作成装置１０内で感熱転写やインクジェットにより画像が形成された転写部材を介した画像記録層またはインクだけの転写により形成することも出来る。
【００２７】
また上記所定の画像の内容は、ＩＣカード１２の種類に応じて予め画像形成機１８に入力されていた内容であることが出来るし、ＩＣカード反転部１０ｂの一方のアンテナ手段１５ａによりＩＣカード１２の図示しないＩＣから読み取られた情報に基づく内容であることが出来るし、さらにはこれら２つの内容が混合された内容であることも出来る。
【００２８】
画像形成部１０ｃの画像形成機１８において所定の一面に対する所定の画像の形成が終了した後のＩＣカード１２は、他面に対する画像の形成の予定がなければ画像形成部１０ｃからＩＣカード保存部１０ｄに送られ、ＩＣカード保存部１０ｄにおいて積層された状態で保存される。
【００２９】
画像形成部１０ｃの画像形成機１８において所定の一面に対する所定の画像の形成が終了した後のＩＣカード１２の他面に対してさらに画像を形成することが予め予定されている場合には、上記ＩＣカード１２はＩＣカード反転部１０ｂのＩＣカード反転機１４に向かい送り返されてＩＣカード反転機１４により１８０度反転された後に再び画像形成部１０ｃの画像形成機１８に送り返される。そして画像形成機１８は反転されているＩＣカード１２の他面に対してさらに画像を形成する。
【００３０】
画像形成機１８が反転されているＩＣカード１２の他面に対してさらに形成する画像に内容もまた、ＩＣカード１２の種類に応じて予め画像形成機１８に入力されていた内容であることが出来るし、ＩＣカード反転部１０ｂの一方のアンテナ手段１５ａによりＩＣカード１２の図示しないＩＣから読み取られた情報に基づく内容であることが出来るし、さらにはこれら２つの内容が混合された内容であることも出来る。従って、ＩＣカード１２の上記所定の一面に対し形成された画像の内容と他面に対して形成された他面の内容が同じこともあるし異なることもある。
【００３１】
ＩＣカード反転部１０ｂの他方のアンテナ手段１５ｂに対応したＩＣを有している所定のＩＣカードをＩＣカード供給部１０ａに提供すれば、このＩＣカードのＩＣに対しては、ＩＣカード反転部１０ｂの他方のアンテナ手段１５ｂを介してＩＣカード・情報書き込み／呼び出し手段１６が上記ＩＣカードのＩＣに対して情報を記録し、または情報を読み取り、または情報の記録と読み取りの両方を行う。
【００３２】
これ以降のＩＣカード作成装置１０の動作は、ＩＣカード反転部１０ｂの一方のアンテナ手段１５ａに対応したＩＣを有している所定のＩＣカード１２がＩＣカード供給部１０ａに提供されている前述した場合と同じである。
【００３３】
なお上述した実施の形態においては、ＩＣカード反転機１４に２種類のアンテナ手段１５ａ，１５ｂが設置されていたが、ＩＣカード反転機１４に設置するアンテナ手段の数は１つでも良いし、可能であれば２種類以上であることも出来る。
【００３４】
即ち、この実施の形態に従ったＩＣカード作成装置１０は、ＩＣカード反転機１４に設置されたアンテナ手段の数や各アンテナ手段が取り扱うことが出来る電波の数に対応した種類のＩＣを伴ったＩＣカードを取り扱うことが出来る。
【００３５】
さらにこの実施の形態に従ったＩＣカード作成装置１０においては、ＩＣカード反転部１０ｂの２種類のアンテナ手段１５ａ，１５ｂのいずれかを介してＩＣカード・情報書き込み／呼び出し手段１６がＩＣカード反転機１４中のＩＣカードのＩＣに対して情報を記録し、または情報を読み取り、または情報の記録と読み取りの両方を行う際には、この最中に発生する電磁波がＩＣカード作成装置１０から漏れ出る量が最も少なくなる角度にＩＣカード反転機１４の回転角度を傾斜させることが出来る。
【００３６】
このことはアンテナ手段１５ａ，１５ｂの種類により指向性が異なるので可能であり、このような回転角度はＩＣカード作成装置１０の試作時に電磁波測定装置を使用することにより予め知ることが出来、ＩＣカード反転機１４の為の図示しない制御装置に予め設定しておくことが出来る。
【００３７】
【発明の効果】
以上詳述したことから明らかなように、この発明に従ったＩＣカード作成装置は、ＩＣカードに画像を形成する画像形成手段と、ＩＣカードのＩＣに対し少なくとも情報の書き込み又は呼び出しを行うＩＣカード・情報書き込み／呼び出し手段と、を備えているＩＣカード作成装置において、ＩＣカード・情報書き込み／呼び出し手段が、ＩＣカードのＩＣに対し少なくとも情報の書き込み及び呼び出しを行うアンテナ手段を有している、ことを特徴としているので、従来よりも小形となる。さらにはＩＣカードのＩＣに対するＩＣカード・情報書き込み／呼び出し手段による少なくとも情報の書き込み又は呼び出しの際には、アンテナ手段から発生する電磁波がＩＣカード作成機から漏れ出る量を最小にするようアンテナ手段の配置を設定することが出来るので、電磁波対策をより間便に施し易いＩＣカード作成装置を提供するが出来る。
【図面の簡単な説明】
【図１】この発明の第１の実施の形態に従ったＩＣカード作成装置の全体の構成を概略的に示す縦断面図である。
【図２】（Ａ）は、図１のＩＣカード作成装置のＩＣカード反転部における、２種類のアンテナ手段を伴ったＩＣカード反転機を概略的に示す平面図であり；そして、（Ｂ）は、図２の（Ａ）のＩＣカード反転機の概略的な側面図である。
【符号の説明】
１０  ＩＣカード作成装置
１２  ＩＣカード
１４  ＩＣカード反転機（ＩＣカード反転手段）
１５ａ，１５ｂ  アンテナ手段
１６  ＩＣカード・情報書き込み／呼び出し手段
１８  画像形成機（画像形成手段）
【図１】
0004206544.tif 000002
【図２】
0004206544.tif 000003